(57)【要約】      （修正有）【課題】モバイル印刷において、携帯端末装置で印刷データのフォーマットが変換された場合においても、ユーザが意図した印刷設定を印刷データに反映することが可能な画像形成装置を提供する。【解決手段】印刷データと、印刷データの印刷方法を示す情報と、前記印刷データのフォーマットを示す情報と、前記印刷データの元のフォーマットを示す情報と、を取得する取得手段と、印刷データのフォーマットに基づく印刷設定に従って印刷画像を生成する生成手段と、を有し、生成手段は、印刷方法が特定の印刷方法の場合に、印刷データの元のフォーマットに基づく印刷設定に従って印刷画像を生成することを特徴とする。【選択図】図２
2017047619.tif 000002
【特許請求の範囲】
【請求項１】
印刷データと、前記印刷データの印刷方法を示す情報と、前記印刷データのフォーマットを示す情報と、前記印刷データの元のフォーマットを示す情報と、を取得する取得手段と、
前記印刷データのフォーマットに基づく印刷設定に従って印刷画像を生成する生成手段と、
を有し、
前記生成手段は、前記印刷方法が特定の印刷方法の場合に、前記印刷データの元のフォーマットに基づく印刷設定に従って印刷画像を生成することを特徴とする画像形成装置。
【請求項２】
前記生成手段は、前記印刷方法が前記特定の印刷方法であって、かつ前記特定の印刷設定が前記画像形成装置へのユーザ入力に応じた設定を含む場合に、前記特定の印刷設定に従って前記印刷画像を生成することを特徴とする請求項１に記載の画像形成装置。
【請求項３】
前記生成手段は、前記印刷方法が前記特定の印刷方法であって、かつ前記特定の印刷設定が前記画像形成装置へのユーザ入力に応じた設定を含まない場合に、前記印刷データのフォーマットに基づく印刷設定に従って前記印刷画像を生成することを特徴とする請求項２に記載の画像形成装置。
【請求項４】
前記取得手段が前記元のフォーマットを示す情報の取得に失敗した場合に、前記印刷データのフォーマットを示す情報を出力手段に出力させる出力制御手段をさらに有することを特徴とする請求項１乃至３の何れか１項に記載の画像形成装置。
【請求項５】
前記出力制御手段は、ユーザに印刷データの印刷設定の入力を促す情報をさらに前記出力手段に出力させ、
前記生成手段は、ユーザにより入力された前記印刷設定に従って、前記印刷画像を生成することを特徴とする請求項４に記載の画像形成装置。
【請求項６】
前記元のフォーマットを示す情報は、データフォーマット変換前の前記印刷データの、拡張子付きの名称であることを特徴とする請求項１乃至５の何れか１項に記載の画像形成装置。
【請求項７】
印刷データと、前記印刷データの印刷方法を示す情報と、前記印刷データのフォーマットを示す情報と、前記印刷データの元のフォーマットを示す情報と、を取得する取得工程と、前記印刷データのフォーマットに基づく印刷設定に従って印刷画像を生成する生成工程と、を有し、
前記生成工程は、前記印刷方法が特定の印刷方法の場合に、前記印刷データの元のフォーマットに基づく印刷設定に従って印刷画像を生成することを特徴とする画像形成方法。
【請求項８】
コンピュータを、請求項１乃至５の何れか１項に記載の画像形成装置の各手段として機能させるためのプログラム。
【発明の詳細な説明】
【技術分野】
【０００１】
本発明は、画像形成装置、画像形成方法及びプログラムに関する。
【背景技術】
【０００２】
従来、ＰＣ上のプリンタドライバ経由で画像をユーザが印刷する場合、プリンタドライバは、その画像のデータフォーマットを変換し、変換後のデータフォーマットを示す情報とともに、変換後の画像を印刷データとしてプリンタに送信していた。プリンタでは、受信された変換後のデータフォーマットを示す情報に基づく印刷設定（つまりプリンタドライバの印刷設定）を用いて、変換後の画像データを印刷していた。
【０００３】
また近年、スマートフォンやタブレットなどのモバイル端末からプリンタに印刷データを送信して、プリンタドライバを用いずに、簡単に印刷ができるモバイル印刷技術が登場してきた（特許文献１参照）。モバイル印刷が行われる際、モバイル端末とプリンタで次の手続きが行われる。
（１）モバイル端末はプリンタに対して、そのプリンタで印刷可能なフォーマットを問い合わせる。
（２）プリンタはモバイル端末の問い合わせに応答する。
（３）モバイル端末はプリンタが印刷可能なフォーマットで印刷データを生成し、それをプリンタに送信する。
【０００４】
ユーザがモバイル端末からＪＰＥＧ（Joint  Photographic  Experts  Group）圧縮されたデータ（以下、単にＪＰＥＧと呼ぶ）を印刷するとする。この際、上記手続き（３）において、プリンタに送信される印刷データがＪＰＥＧではなくＰＤＦ（Portable  Document  Format）（登録商標）データ（以下、単にＰＤＦと呼ぶ）に変換されることがある。この場合、ＰＤＦの印刷データとともに、データフォーマットがＰＤＦであることを示す情報がプリンタに送信される。
【０００５】
例えば、プリンタがＪＰＥＧは印刷できず、ＰＤＦは印刷できる場合、モバイル端末はＪＰＥＧをＰＤＦに変換し、そのＰＤＦを印刷データとしてプリンタに送信する。また、プリンタがＪＰＥＧとＰＤＦの両方を印刷できる場合、モバイル端末が搭載するＯＳやアプリケーションの都合でＪＰＥＧをＰＤＦに変換し、そのＰＤＦをプリンタに送信する場合もある。すなわち、印刷データのプリンタに対する入稿方法（印刷指示方法）が、いわゆるモバイル印刷などの印刷方法である場合にも、印刷対象の画像のデータフォーマットが別のフォーマットに変換されることがある。
【先行技術文献】
【特許文献】
【０００６】
【特許文献１】特開２００４−６２８８９号公報
【発明の概要】
【発明が解決しようとする課題】
【０００７】
しかしながら、上述のようにモバイル印刷においてフォーマット変換が行われた場合に、フォーマット変換が行われたことはユーザには通知されない。そのため、ＪＰＥＧをプリンタに対して直接に入稿（印刷指示）したつもりのユーザがプリンタの操作パネルでＪＰＥＧ用の印刷設定をしても、その設定がＰＤＦに変換された印刷データには反映されない。なぜならプリンタは、印刷データとともに受信された変換後のデータフォーマットを示す情報に基づいて、ＰＤＦ用の印刷設定を印刷データの印刷に適用するからである。つまり印刷データの元のデータフォーマットであるＪＰＥＧ用の印刷設定が適用されない。
【０００８】
本発明は上記事情に鑑みなされたもので、モバイル印刷などの特定の印刷方法において、携帯端末装置で印刷データのフォーマットが変換された場合においても、ユーザが意図した印刷設定を印刷データに反映することを目的とする。
【課題を解決するための手段】
【０００９】
そこで、本発明は、画像形成装置であって、印刷データと、前記印刷データの印刷方法を示す情報と、前記印刷データのフォーマットを示す情報と、前記印刷データの元のフォーマットを示す情報と、を取得する取得手段と、前記印刷データのフォーマットに基づく印刷設定に従って印刷画像を生成する生成手段と、を有し、前記生成手段は、前記印刷方法が特定の印刷方法の場合に、前記印刷データの元のフォーマットに基づく印刷設定に従って印刷画像を生成することを特徴とする。
【発明の効果】
【００１０】
本発明によれば、モバイル印刷において、携帯端末装置で印刷データのフォーマットが変換された場合においても、ユーザが意図した印刷設定を印刷データに反映することができる。
【図面の簡単な説明】
【００１１】
【図１】画像形成装置のハードウェア構成を示す図である。
【図２】画像形成装置のソフトウェアモジュール構成を示す図である。
【図３】印刷データの説明図である。
【図４】印刷画像生成処理を示すフローチャートである。
【図５】操作パネルの設定情報の説明図である。
【図６】第２の実施形態に係る印刷画像生成処理を示すフローチャートである。
【発明を実施するための形態】
【００１２】
以下、本発明の実施形態について図面に基づいて説明する。
【００１３】
（第１の実施形態）
図１は、第１の実施形態に係る画像形成装置１００のハードウェア構成を示す図である。ＣＰＵ（Central  Processing  Unit）１０１は、画像形成装置１００全体を制御する。メモリ１０２は、ＣＰＵ１０１がアクセスできるＲＡＭ（Random  Access  Memory）である。メモリ１０２は、各種ソフトウェアの動作に必要なメモリの確保先や、レンダラ１０３が生成するビットマップ画像の保存先として利用される。レンダラ１０３は、後述のソフトウェアモジュールが印刷データを解析した結果から、ビットマップ画像を生成するハードウェアである。画像処理部１０４は、レンダラ１０３が生成したビットマップ画像に対して、画像処理を行うハードウェアである。受信部１０５は、印刷データを受信可能なハードウェアである。
【００１４】
入力部１０６は、ユーザが各種情報を入力するための操作パネル等のハードウェアである。ユーザは、入力部１０６を介して、印刷データに対する印刷設定等を入力することができる。エンジン１０７は、レンダラ１０３が生成したビットマップ画像を印刷用紙に出力する。ＲＯＭ１０８は、ＲＯＭ（Read  Only  Memory）である。出力部１０９は、各種情報を出力する。出力部１０９としては、例えば表示部やスピーカが挙げられる。なお、後述する画像形成装置１００の機能や処理は、ＣＰＵ１０１がＲＯＭ１０８に格納されているプログラムを読み出し、このプログラムを実行することにより実現されるものである。
【００１５】
図２は、画像形成装置１００のソフトウェアモジュール構成を示す図である。画像生成部２１０は、解析部２１１と、情報取得部２１２と、レイアウト処理部２１３と、を有している。画像生成部２１０は、各モジュールの処理結果を考慮してレンダラ１０３を利用してビットマップ画像を生成する。解析部２１１は、受信部１０５が受信した印刷データを解析する。情報取得部２１２は、印刷データから、印刷方法を示す情報と印刷データの元フォーマットを示す情報等を取得する。なお、印刷データに、印刷方法を示す情報と印刷データの元フォーマットを示す情報が含まれているものとする。レイアウト処理部２１３は、後述の印刷設定部２２０で設定されたレイアウトをビットマップ画像に反映する。印刷設定部２２０は、入力部１０６を介して入力された印刷設定の情報を記憶する。印刷設定部２２０は、ＰＤＦ用の印刷設定を保持するＰＤＦ設定記憶部２２１と、ＪＰＥＧ用の印刷設定を保持する２ＪＰＥＧ設定記憶部２２２と、を有している。
【００１６】
図３は、印刷データの説明図である。図３（ａ）は、印刷データ３００のフォーマットの一例を示す図である。印刷データ３００は、ヘッダ情報３０１と、印刷プロトコル３０２と、ドキュメントフォーマット３０３と、ジョブ名３０４、描画データ３０５と、フッタ情報３０６と、を有している。ヘッダ情報３０１は、データの先端を示す情報である。印刷プロトコル３０２には、ＬＰＲ（LinePRinter）、ＲＡＷ、ＩＰＰ（Internet  Printing  Protocol）等の印刷プロトコルが設定されている。
【００１７】
ドキュメントフォーマット３０３は、描画データのフォーマットを示す。ドキュメントフォーマット３０３には、具体的にはＪＰＥＧ、ＰＤＦ等のフォーマットを示す情報が設定されている。解析部２１１は、このドキュメントフォーマット３０３に従い、印刷データがＪＰＥＧの場合はＪＰＥＧの解析を行い、ＰＤＦの場合はＰＤＦの解析を行う。ジョブ名３０４は、印刷対象としたファイルの情報である。ジョブ名３０４には、具体的には「ｄｏｃｕｍｅｎｔ.ＰＤＦ」（ＰＤＦファイル）や「ｐｈｏｔｏ．ｊｐｇ」（ＪＰＥＧファイル）といった印刷対象としたファイルの拡張子付きの名称（ファイル名）が設定されている。フッタ情報３０６は、データの終端を示す情報である。ここで重要なのはファイル名に、データフォーマット変換前のそのファイルのデータフォーマットが判別可能な情報（ここでは拡張子）を含むことである。
【００１８】
図３（ｂ）は、ＪＰＥＧファイル「ｐｈｏｔｏ.ｊｐｇ」を印刷するための印刷データ３１０の例である。図３（ｂ）に示す印刷データ３１０は、モバイル印刷において、印刷データの送信元のモバイル端末（携帯端末装置）がＪＰＥＧファイルをフォーマット変換せず、ＪＰＥＧのまま画像形成装置１００に送信した場合の印刷データである。図３（ｂ）に示す印刷データ３１０においては、印刷プロトコル３０２、ドキュメントフォーマット３０３、ジョブ名３０４には、それぞれＩＰＰ、ＪＰＥＧ、「ｐｈｏｔｏ.ｊｐｇ」が設定されている。
【００１９】
図３（ｃ）は、図３（ｂ）の印刷データ３１０と同様に、ＪＰＥＧファイル「ｐｈｏｔｏ.ｊｐｇ」を印刷するための印刷データ３２０の例である。但し、図３（ｃ）に示す印刷データ３２０は、モバイル印刷において、モバイル端末がＪＰＥＧファイルをＰＤＦにフォーマットを変換して、画像形成装置１００に送信した印刷データである。図３（ｃ）に示す印刷データ３２０においては、印刷プロトコル３０２、ドキュメントフォーマット３０３、ジョブ名３０４に、それぞれＩＰＰ、ＰＤＦ、「ｐｈｏｔｏ．ｊｐｇ」が設定されている。すなわち、印刷データ３１０と印刷データ３２０では、ドキュメントフォーマット３０３の情報が異なっている。
【００２０】
図４は、画像形成装置１００による印刷画像生成処理を示すフローチャートである。画像形成装置１００は、印刷画像生成処理において、印刷データを解析して、印刷画像としてのビットマップ画像を生成する。なお、印刷画像生成処理前に、画像形成装置１００の受信部１０５がモバイル端末から図３に示すような印刷データを受信しているものとする。ステップＳ４０１において、情報取得部２１２は、受信部１０５が受信した印刷データから、印刷方法を示す情報と、印刷データのフォーマットを示す情報と、前記印刷データの元フォーマットを示す情報と、を取得する（取得処理）。具体的には、情報取得部２１２は、印刷データの印刷プロトコル３０２の情報を、印刷方法を示す情報として取得する。また、情報取得部２１２は、ドキュメントフォーマット３０３の情報を、印刷データのフォーマットを示す情報として取得する。また、情報取得部２１２は、印刷データ３００のジョブ名３０４の情報を、印刷データの元フォーマットを示す情報として取得する。
【００２１】
次に、ステップＳ４０２において、解析部２１１は、印刷データの解析を行う。次に、ステップＳ４０３において、解析部２１１は、画像形成装置１００の操作パネルの設定情報が必要な解析処理であるか否かを判断する。本処理は、印刷設定が画像形成装置１００へのユーザ入力に応じた設定を含むか否かを判断する処理の一例である。例えば、印字領域に関わる解析処理は、印字領域拡大の印刷設定を考慮する必要があり、印刷設定に操作パネルの設定情報が必要となる。解析部２１１は、操作パネルの設定情報が必要な場合には（ステップＳ４０３でＹＥＳ）、処理をステップＳ４０４へ進める。解析部２１１は、操作パネルの設定情報が不要な場合には（ステップＳ４０３でＮＯ）、処理をステップＳ４０８へ進める。
【００２２】
図５は、操作パネルの設定情報の説明図である。図５に示す操作パネル５００において、ユーザは印字領域の設定を行うことができる。操作パネル５００に表示される、印字領域拡大「しない」のボタン５０１が選択された場合には、画像形成装置１００は、印字領域拡大を行わない旨の設定情報を登録する。そして、画像形成装置１００は、印刷用紙の周辺に余白を残した印刷を行う（５１０）。操作パネル５００に表示される、印字領域拡大「する」のボタン５０２が選択された場合には、画像形成装置１００は、印字領域拡大を行う旨の設定情報を登録する。そして、画像形成装置１００は、印刷用紙の周辺の余白をなくし印刷用紙の端まで印刷を行う（５２０）。
【００２３】
図４に戻り、ステップＳ４０４において、解析部２１１は、印刷方法がモバイル印刷か否か判断する。具体的には、解析部２１１は、ステップＳ４０１で取得した印刷プロトコル３０２の情報を参照し、ＩＰＰが設定されている場合に、印刷方法がモバイル印刷であると判断する。なお、モバイル印刷ではない、プリンタドライバで生成された印刷データの場合、印刷プロトコル３０２には、ＲＡＷやＬＰＲが設定されている。解析部２１１は、モバイル印刷であると判断した場合には（ステップＳ４０４でＹＥＳ）、処理をステップＳ４０５へ進める。解析部２１１は、モバイル印刷ではないと判断した場合には（ステップＳ４０４でＮＯ）、処理をステップＳ４０７へ進める。
【００２４】
ステップＳ４０５において、解析部２１１は、印刷データの元フォーマットを決定する。具体的には、解析部２１１は、ステップＳ４０１において取得したジョブ名３０４に設定されている情報を利用する。解析部２１１は、ジョブ名３０４に設定されたファイル名の拡張子が「.ｊｐｇ」の場合は、印刷データの元フォーマットをＪＰＥＧと決定する。解析部２１１は、拡張子が「.ＰＤＦ」の場合は、印刷データの元フォーマットをＰＤＦと決定する。
【００２５】
次に、ステップＳ４０６において、解析部２１１は、印刷データの元フォーマットに対する印刷設定を反映し、その後処理をステップＳ４０８へ進める。具体的には、解析部２１１は、元フォーマットがＰＤＦの場合は、ＰＤＦ設定記憶部２２１に記憶されている設定情報をレイアウト処理部２１３に設定する。解析部２１１は、元フォーマットがＪＰＥＧの場合は、ＪＰＥＧ設定記憶部２２２に記憶されている設定情報をレイアウト処理部２１３に設定する。ここで、ＰＤＦ設定記憶部２２１に記憶されている設定情報及びＪＰＥＧ設定記憶部２２２に記憶されている設定情報は、それぞれ印刷データのフォーマットに対し予め設定された印刷設定の一例である。
【００２６】
一方、ステップＳ４０７においては、解析部２１１は印刷データのフォーマットに対する印刷設定を反映し、その後処理をステップＳ４０８へ進める。具体的には、解析部２１１は、印刷データからドキュメントフォーマット３０３を取得し、ドキュメントフォーマット３０３にＰＤＦが設定されている場合には、ＰＤＦ設定記憶部２２１に記憶されている設定情報をレイアウト処理部２１３に設定する。解析部２１１は、ドキュメントフォーマット３０３にＪＰＥＧが設定されている場合には、ＪＰＥＧ設定記憶部２２２に記憶されている設定情報をレイアウト処理部２１３に設定する。
【００２７】
ステップＳ４０８において、解析部２１１は、印刷データの解析が終了したか否かを判断する。解析部２１１は、解析が終了したと判断した場合には（ステップＳ４０８でＹＥＳ）、処理をステップＳ４０９へ進める。解析部２１１は、解析が終了していないと判断した場合には（ステップＳ４０８でＮＯ）、処理をステップＳ４０２へ進め、印刷データの解析を継続する。ステップＳ４０９において、画像生成部２１０は、解析部２１１とレイアウト処理部２１３の処理結果に基づいて、ビットマップ画像を生成するようレンダラ１０３を制御する（生成制御処理）。なお、レイアウト処理部２１３は、ステップＳ４０７又はステップＳ４０８において設定された設定情報（レイアウト）をビットマップ画像に反映する。以上で、印刷画像生成処理が完了する。
【００２８】
以上のように、本実施形態に係る画像形成装置１００は、モバイル印刷において、モバイル端末がＪＰＥＧをＰＤＦに変換して印刷データを送信した場合であっても、ＰＤＦ用の印刷設定ではなく、ＪＰＥＧ用の印刷設定を反映して印刷画像を生成する。このため、ユーザが意図した通りの印刷が可能となる。すなわち、画像形成装置１００は、モバイル印刷において、携帯端末装置で印刷データのフォーマットが変換された場合においても、ユーザが意図した印刷設定を印刷データに反映することができる。
【００２９】
（第２の実施形態）
図６は、第２の実施形態に係る画像形成装置１００による印刷画像生成処理を示すフローチャートである。ステップＳ６０１において、情報取得部２１２は、受信部１０５が受信した印刷データから、印刷方法を示す情報と、印刷データのフォーマットを示す情報と、前記印刷データの元フォーマットを示す情報と、を取得する（取得処理）。本処理は、ステップＳ４０１の処理と同様である。
【００３０】
次に、ステップＳ６０２において、解析部２１１は、印刷方法がモバイル印刷で、かつ印刷データの元フォーマットを取得できたか否かを判断する。モバイル印刷か否かを判断する処理は、ステップＳ４０４の処理と同様である。解析部２１１は、元フォーマットとステップＳ６０２で取得したジョブ名３０４が空白の場合や拡張子がない場合、印刷データの元フォーマットの取得できない、すなわち取得に失敗したと判断する。解析部２１１は、印刷方法がモバイル印刷で、かつ元フォーマットが取得できないと判断した場合には（ステップＳ６０２でＹＥＳ）、処理をステップＳ６０３へ進める。解析部２１１は、印刷方法がモバイル印刷で、かつ元フォーマットが取得できないと判断した場合以外の場合には（ステップＳ６０２でＮＯ）、処理をステップＳ６０４へ進める。
【００３１】
ステップＳ６０３において、ＣＰＵ１０１は、ユーザに印刷データのフォーマットに対する印刷設定の入力を促す情報を出力部１０９に出力させる（出力制御処理）。ＣＰＵ１０１は、具体的には、ドキュメントフォーマット３０３に従い、ドキュメントフォーマットがＰＤＦの場合はＰＤＦ用の印刷設定、ドキュメントフォーマットがＪＰＥＧの場合はＪＰＥＧ用の印刷設定を、ユーザに促す情報を出力させる。
【００３２】
次に、ステップＳ６０４において、解析部２１１は印刷データの解析を行う。次に、ステップＳ６０５において、解析部２１１は、画像形成装置１００の操作パネルの設定情報が必要な解析処理かどうか判断する。解析部２１１は、操作パネルの設定情報が必要な場合には（ステップＳ６０５でＹＥＳ）、処理をステップＳ６０６へ進める。解析部２１１は、操作パネルの設定情報が不要な場合には（ステップＳ６０５でＮＯ）、処理をステップＳ６０９へ進める。
【００３３】
ステップＳ６０６において、解析部２１１は、印刷方法がモバイル印刷で、かつ印刷データの元フォーマットが取得できたか否かを判断する。解析部２１１は、印刷方法がモバイル印刷で、かつ印刷データの元フォーマットが取得できたと判断した場合には（ステップＳ６０６でＹＥＳ）、処理をステップＳ６０７へ進める。解析部２１１は、印刷方法がモバイル印刷で、かつ印刷データの元フォーマットが取得できたと判断した場合以外の場合には（ステップＳ６０６でＮＯ）、処理をステップＳ６０８へ進める。
【００３４】
ステップＳ６０７において、解析部２１１は、印刷データの元フォーマットに対する印刷設定を反映し、その後処理をステップＳ６０９へ進める。一方、ステップＳ６０８において、解析部２１１は、印刷データのフォーマットに対する印刷設定を反映し、その後処理をステップＳ６０９へ進める。なお、ステップＳ６０９及びステップＳ６１０の処理は、それぞれ図４を参照しつつ説明したステップＳ４０８及びステップＳ４０９の処理と同様である。なお、第２の実施形態に係る画像形成装置１００のこれ以外の構成及び処理は、第１の実施形態に係る画像形成装置１００の構成及び処理と同様である。
【００３５】
以上のように、第２の実施形態に係る画像形成装置１００は、印刷対象の元フォーマットを取得できない場合に、ユーザに印刷設定を促す。これにより、ユーザが意図した印刷が可能になる。
【００３６】
以上、本発明の好ましい実施形態について詳述したが、本発明は係る特定の実施形態に限定されるものではなく、特許請求の範囲に記載された本発明の要旨の範囲内において、種々の変形・変更が可能である。
【００３７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３８】
１００  画像形成装置
２１０  画像生成部
２２０  印刷設定部
【図１】
2017047619.tif 000003
【図２】
2017047619.tif 000004
【図３】
2017047619.tif 000005
【図４】
2017047619.tif 000006
【図５】
2017047619.tif 000007
【図６】
2017047619.tif 000008